(57)【要約】【課題】提供された推薦情報の効果を確認可能とする技術を提供することを目的とする。【解決手段】本願明細書に記載される推薦情報提供システムは、映像コンテンツとユーザーの嗜好情報とに関連する広告を要求する広告要求部（６３）と、広告を提供する広告提供部（７５）と、映像コンテンツと連携して表示される推薦情報を、広告に基づいて作成する推薦情報作成部（６５）と、推薦情報と、推薦情報に起因して生じた注文との関連を示す成果情報を作成する成果情報作成部（８４）とを備える。【選択図】図８
2020024493.tif 000002
【特許請求の範囲】
【請求項１】
映像コンテンツとユーザーの嗜好情報とに関連する広告を要求する広告要求部と、
前記広告を提供する広告提供部と、
前記映像コンテンツと連携して表示される推薦情報を、前記広告に基づいて作成する推薦情報作成部と、
前記推薦情報と、前記推薦情報に起因して生じた注文との関連を示す成果情報を作成する成果情報作成部とを備える、
推薦情報提供システム。
【請求項２】
前記推薦情報の一部は、マトリックス型２次元コードを用いて表示される、
請求項１に記載の推薦情報提供システム。
【請求項３】
前記推薦情報におけるマトリックス型２次元コードを撮影する撮影部と、
撮影されたマトリックス型２次元コードを読み込む読み込み部とをさらに備え、
前記成果情報作成部は、読み込まれたマトリックス型２次元コードに起因して生じた注文との関連を示す前記成果情報を作成する、
請求項２に記載の推薦情報提供システム。
【請求項４】
前記映像コンテンツを表示する第１の表示部をさらに備え、
前記推薦情報は、前記第１の表示部に前記映像コンテンツとともに表示される、
請求項１から請求項３のうちのいずれか１項に記載の推薦情報提供システム。
【請求項５】
前記推薦情報は、前記第１の表示部において前記映像コンテンツに重畳して表示される、
請求項４に記載の推薦情報提供システム。
【請求項６】
前記映像コンテンツに関連する属性情報を取得する属性情報取得部をさらに備え、
前記推薦情報は、前記第１の表示部において、前記属性情報に基づいて対応する前記映像コンテンツの近傍に重畳して表示される、
請求項５に記載の推薦情報提供システム。
【請求項７】
前記映像コンテンツを表示する第１の表示部と、
前記推薦情報を表示する、前記第１の表示部とは異なる第２の表示部とをさらに備える、
請求項１から請求項３のうちのいずれか１項に記載の推薦情報提供システム。
【請求項８】
前記成果情報に基づいて、前記推薦情報の提供元に対する報酬を算出する報酬算出部をさらに備え、
前記広告提供部は、提供する前記広告に、前記提供元に関する識別情報を付加し、
前記推薦情報作成部は、前記推薦情報を、前記識別情報を付加して作成し、
前記成果情報作成部は、前記成果情報を、前記識別情報を付加して作成し、
前記報酬算出部において算出される前記報酬は、前記成果情報に付加された前記識別情報に対応する前記提供元に与えられる、
請求項１から請求項７のうちのいずれか１項に記載の推薦情報提供システム。
【請求項９】
請求項４から請求項７のうちのいずれか１項に記載の推薦情報提供システムに用いられる映像表示装置であり、前記第１の表示部を備える、
映像表示装置。
【請求項１０】
請求項１から請求項８のうちのいずれか１項に記載の推薦情報提供システムに用いられる推薦情報提供装置であり、前記広告要求部および前記推薦情報作成部を備える、
推薦情報提供装置。
【請求項１１】
映像コンテンツとユーザーの嗜好情報とに関連する広告を要求し、
前記広告を提供し、
前記映像コンテンツと連携して表示される推薦情報を、前記広告に基づいて作成し、
前記推薦情報と、前記推薦情報に起因して生じた注文との関連を示す成果情報を作成する、
推薦情報提供方法。
【請求項１２】
前記推薦情報は、前記映像コンテンツとともに表示される、
請求項１１に記載の推薦情報提供方法。
【請求項１３】
前記推薦情報は、前記映像コンテンツに重畳して表示される、
請求項１１または請求項１２に記載の推薦情報提供方法。
【発明の詳細な説明】
【技術分野】
【０００１】
本願明細書に開示される技術は、推薦情報提供システム、映像表示装置、推薦情報提供装置、および、推薦情報提供方法に関するものである。
【背景技術】
【０００２】
近年、映像表示装置の高機能化、テレビジョン放送のデジタル化、および、インターネットの普及に伴って、映像コンテンツに連動して、映像コンテンツに関連する付加価値の高い情報（すなわち、推薦情報）を提供するサービスが行われている。
【０００３】
このような、広告などを含む推薦情報を提供する従来の推薦情報提供装置においては、ユーザーの嗜好をリアルタイムで抽出し、広告を含むお薦め情報（すなわち、推薦情報）を提供している（たとえば、特許文献１を参照）。
【０００４】
また、特定のユーザーに対して適切、かつ、効果的な広告を提供する方法も提案されている（たとえば、特許文献２を参照）。
【先行技術文献】
【特許文献】
【０００５】
【特許文献１】特開２００９−２８４４１５号公報
【特許文献２】特開２０１６−２０７０３１号公報
【発明の概要】
【発明が解決しようとする課題】
【０００６】
従来の推薦情報提供装置では、ユーザーが視聴した映像コンテンツからユーザーの嗜好を抽出し、さらに、ユーザーの嗜好に合う広告を含む推薦情報をユーザーに提供している。
【０００７】
しかしながら、従来の推薦情報提供装置における方法では、提供された上記の推薦情報がユーザーにとって真に満足することができる情報であったか否かは明らかとならない。
【０００８】
たとえ、ユーザーの嗜好をリアルタイムで抽出し、かつ、抽出された嗜好に合う広告を推薦情報に反映させても、その推薦情報の効果によって、たとえば、推薦情報に含まれる広告に掲載されていた商品を購入するに至ったか否かを直接的に確認することは難しいという課題があった。
【０００９】
本願明細書に開示される技術は、以上に記載されたような問題を解決するためになされたものであり、提供された推薦情報の効果が確認可能となる技術を提供することを目的とするものである。
【課題を解決するための手段】
【００１０】
本願明細書に開示される技術の第１の態様は、映像コンテンツとユーザーの嗜好情報とに関連する広告を要求する広告要求部と、前記広告を提供する広告提供部と、前記映像コンテンツと連携して表示される推薦情報を、前記広告に基づいて作成する推薦情報作成部と、前記推薦情報と、前記推薦情報に起因して生じた注文との関連を示す成果情報を作成する成果情報作成部とを備える。
【００１１】
また、本願明細書に開示される技術の第２の態様は、上記の推薦情報提供システムに用いられる映像表示装置であり、前記第１の表示部を備える。
【００１２】
また、本願明細書に開示される技術の第３の態様は、上記の推薦情報提供システムに用いられる推薦情報提供装置であり、前記広告要求部および前記推薦情報作成部を備える。
【００１３】
また、本願明細書に開示される技術の第４の態様は、映像コンテンツとユーザーの嗜好情報とに関連する広告を要求し、前記広告を提供し、前記映像コンテンツと連携して表示される推薦情報を、前記広告に基づいて作成し、前記推薦情報と、前記推薦情報に起因して生じた注文との関連を示す成果情報を作成する。
【発明の効果】
【００１４】
本願明細書に開示される技術の第１の態様は、映像コンテンツとユーザーの嗜好情報とに関連する広告を要求する広告要求部と、前記広告を提供する広告提供部と、前記映像コンテンツと連携して表示される推薦情報を、前記広告に基づいて作成する推薦情報作成部と、前記推薦情報と、前記推薦情報に起因して生じた注文との関連を示す成果情報を作成する成果情報作成部とを備えるものである。このような構成によれば、映像コンテンツとユーザーの嗜好に合う推薦情報とを併せて提供し、さらに、推薦情報に起因する注文が行われたことを示す成果情報を取得することによって、推薦情報に起因する注文が行われたか否かを直接的に確認することができる。そのため、提供された推薦情報がユーザーにとって真に満足することができる情報であるか否かを直接的に確認することができる。
【００１５】
本願明細書に開示される技術の第２の態様は、上記の推薦情報提供システムに用いられる映像表示装置であり、前記第１の表示部を備える。このような構成によれば、映像コンテンツとユーザーの嗜好に合う推薦情報とを併せて提供することができる。
【００１６】
本願明細書に開示される技術の第３の態様は、上記の推薦情報提供システムに用いられる推薦情報提供装置であり、前記広告要求部および前記推薦情報作成部を備える。このような構成によれば、推薦情報に起因する注文が行われたことを示す成果情報を取得することによって、推薦情報に起因する注文が行われたか否かを直接的に確認することができる。
【００１７】
また、本願明細書に開示される技術の第４の態様は、映像コンテンツとユーザーの嗜好情報とに関連する広告を要求し、前記広告を提供し、前記映像コンテンツと連携して表示される推薦情報を、前記広告に基づいて作成し、前記推薦情報と、前記推薦情報に起因して生じた注文との関連を示す成果情報を作成する。このような構成によれば、映像コンテンツとユーザーの嗜好に合う推薦情報とを併せて提供し、さらに、推薦情報に起因する注文が行われたことを示す成果情報を取得することによって、推薦情報に起因する注文が行われたか否かを直接的に確認することができる。そのため、提供された推薦情報がユーザーにとって真に満足することができる情報であるか否かを直接的に確認することができる。
【００１８】
また、本願明細書に開示される技術に関する目的と、特徴と、局面と、利点とは、以下に示される詳細な説明と添付図面とによって、さらに明白となる。
【図面の簡単な説明】
【００１９】
【図１】実施の形態に関する、推薦情報提供システムの構成の例を概念的に示す図である。
【図２】図１における映像表示装置の、ハードウェア構成の例を概略的に示す図である。
【図３】図１における携帯型情報処理通信装置の、ハードウェア構成の例を概略的に示す図である。
【図４】図１における推薦情報提供装置の、ハードウェア構成の例を概略的に示す図である。
【図５】図１における広告提供装置の、ハードウェア構成の例を概略的に示す図である。
【図６】図１における注文受け付け装置の、ハードウェア構成の例を概略的に示す図である。
【図７】推薦情報提供システムの動作を説明するための、推薦情報提供システムを構成するそれぞれの装置の動作機能の関係の例を示す図である。
【図８】推薦情報提供システムの動作を説明するための、推薦情報提供システムを構成するそれぞれの装置の動作機能の関係の例を示す図である。
【図９】実施の形態に関する、推薦情報提供システムの動作を示すフローチャートである。
【図１０】実施の形態に関する、推薦情報提供システムの動作を示すフローチャートである。
【図１１】映像表示装置における推薦情報の表示態様の例を示す図である。
【図１２】お薦め情報に関する商品またはサービスの注文番号の例を示す図である。
【図１３】推薦情報の提供に起因する成果に対する報酬の一覧表示の例を示す図である。
【図１４】実施の形態に関する、映像表示装置における推薦情報の表示態様の例を示す図である。
【図１５】実施の形態に関する、映像表示装置における推薦情報の表示態様の例を示す図である。
【図１６】実施の形態に関する、映像表示装置と携帯型情報処理通信装置とにおける推薦情報の表示態様の例を示す図である。
【発明を実施するための形態】
【００２０】
以下、添付される図面を参照しながら実施の形態について説明する。
【００２１】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００２２】
また、以下に示される説明では、同様の構成要素には同じ符号を付して図示し、それらの名称と機能とについても同様のものとする。したがって、それらについての詳細な説明を、重複を避けるために省略する場合がある。
【００２３】
また、以下に記載される説明において、「第１の」、または、「第２の」などの序数が用いられる場合があっても、これらの用語は、実施の形態の内容を理解することを容易にするために便宜上用いられるものであり、これらの序数によって生じ得る順序などに限定されるものではない。
【００２４】
＜第１の実施の形態＞
以下、本実施の形態に関する推薦情報提供システム、映像表示装置、推薦情報提供装置、および、推薦情報提供方法について説明する。
【００２５】
＜推薦情報提供システムの構成について＞
図１は、本実施の形態に関する推薦情報提供システムの構成の例を概念的に示す図である。図１に例が示されるように、推薦情報提供システムは、通信網６を介して通信を行う、映像表示装置１と、携帯型情報処理通信装置２と、推薦情報提供装置３と、広告提供装置４と、注文受け付け装置５と、放送網９を介して映像表示装置１へ放送波を送信する放送局７と、放送局７と通信する放送コンテンツ情報提供装置８とを備える。
【００２６】
映像表示装置１は、たとえば、テレビジョンであり、地上局または衛星局からなる放送網９を経由して放送局７から送信される放送波を受信し、かつ、当該放送波に基づく放送コンテンツを表示する。
【００２７】
または、映像表示装置１は、たとえば、インターネットまたは移動体無線通信などの通信網６を経由してネットワーク上のサーバーから配信される放送コンテンツを受信し、かつ、当該放送コンテンツを表示する。
【００２８】
携帯型情報処理通信装置２は、たとえば、カメラ付きのスマートフォンであり、通信網６を介して通信を行う。また、携帯型情報処理通信装置２は、映像表示装置１との間で近距離無線通信を行う。
【００２９】
放送局７から送信される放送コンテンツに関する情報は、放送コンテンツ情報提供装置８から提供され、さらに、通信網６を経由して携帯型情報処理通信装置２において受信される。
【００３０】
注文受け付け装置５は、広告に関する情報である広告情報を発信し、また、広告情報に基づく注文を受け付ける。広告提供装置４は、広告情報を収集して保存する。また、広告提供装置４は、要求にしたがって広告情報を配信する。
【００３１】
推薦情報提供装置３は、ユーザー情報を収集し、収集されたユーザー情報に基づいて、お薦めの情報（すなわち、推薦情報）を送信する。
【００３２】
注文受け付け装置５と、広告提供装置４と、推薦情報提供装置３とは、それぞれ通信網６に接続され、かつ、相互に通信する。
【００３３】
図２は、図１における映像表示装置１の、ハードウェア構成の例を概略的に示す図である。図２に例が示されるように、映像表示装置１は、放送コンテンツのデータ処理部１０１と、メモリー１０２と、中央演算処理装置（ｃｅｎｔｒａｌ  ｐｒｏｃｅｓｓｉｎｇ  ｕｎｉｔ、すなわち、ＣＰＵ）１０３と、操作スイッチ１０４と、リモートコントローラインターフェイス１０５と、通信インターフェイス１０６とを備える。
【００３４】
データ処理部１０１は、データバス１０７を介して、メモリー１０２と、中央演算処理装置（ｃｅｎｔｒａｌ  ｐｒｏｃｅｓｓｉｎｇ  ｕｎｉｔ、すなわち、ＣＰＵ）１０３と、操作スイッチ１０４と、リモートコントローラインターフェイス１０５と、通信インターフェイス１０６との間で相互にデータ通信を行う。
【００３５】
メモリー１０２は、映像表示装置１の動作を制御する制御プログラムおよび制御データを保存する不揮発性メモリーと、データ処理のために一時的にデータを保存する揮発性メモリーとを備える。
【００３６】
ＣＰＵ１０３は、メモリー１０２に保存されている制御プログラムにしたがって映像表示装置１を制御する。
【００３７】
リモートコントローラインターフェイス１０５は、映像表示装置１を操作するためのリモートコントローラ（ここでは、図示しない）との間に介在する。通信インターフェイス１０６は、通信網６に接続して通信を行う。
【００３８】
データ処理部１０１は、チューナー１０９と、チューナー１０９に接続されるデコーダー／エンコーダー１１０と、デコーダー／エンコーダー１１０に接続されるハードディスク１１２と、デコーダー／エンコーダー１１０に接続される音声信号処理回路１１７と、音声信号処理回路１１７に接続される音声出力回路１１８と、音声出力回路１１８と接続され、かつ、音声を出力するスピーカー１１９と、デコーダー／エンコーダー１１０に接続される映像信号処理回路１１３と、映像信号処理回路１１３に接続される映像出力回路１１５と、映像出力回路１１５に接続される映像表示パネル１１６と、グラフィックス重畳回路１１４と、チューナー１０９と接続される放送番組情報取得回路１１１とを備える。
【００３９】
チューナー１０９は、アンテナ１０８に接続される。チューナー１０９は、アンテナ１０８を用いて所望の放送波を選局し、かつ、当該放送波を受信する。
【００４０】
デコーダー／エンコーダー１１０は、受信された放送波の放送ストリームをデコードする、または、デコードされた放送コンテンツを再度エンコードする。
【００４１】
ハードディスク１１２は、受信された放送波の放送ストリームをそのまま保存する、または、デコードされた放送コンテンツを保存する。
【００４２】
音声信号処理回路１１７は、放送コンテンツのうちの音声信号を処理する。映像信号処理回路１１３は、放送コンテンツのうちの映像信号を処理する。映像表示パネル１１６は、たとえば、バックライト付き液晶パネルからなる。
【００４３】
グラフィックス重畳回路１１４は、映像信号処理回路１１３において処理された映像信号に、文字またはキャラクターなどのグラフィックスを重畳させる。放送番組情報取得回路１１１は、放送波に重畳された映像コンテンツの情報を取得する。
【００４４】
図３は、図１における携帯型情報処理通信装置２の、ハードウェア構成の例を概略的に示す図である。図３に例が示されるように、携帯型情報処理通信装置２は、たとえば、カメラ付きのスマートフォンであり、たとえば、バックライト付の液晶表示パネルからなる表示部２０５と、タッチパネルなどからなる操作部２０６と、たとえば、ＣＣＤ撮像素子を有する撮影部２０７と、マイクなどからなる音声入力部２０８と、スピーカーなどからなる音声出力部２０９と、通信網６に接続するまたは近距離無線通信を行う通信部２０１と、メモリー２０２と、ＣＰＵ２０３と、携帯型情報処理通信装置２の現在位置を検出するＧＰＳ２０４と、携帯型情報処理通信装置２の内部でこれらの構成が相互にデータ通信を行う際に介在するデータバス２１０とを備える。
【００４５】
上記のうち、メモリー２０２は、携帯型情報処理通信装置２の動作を制御する制御プログラムおよび制御データを保存する不揮発性メモリーと、データ処理のため一時的にデータを保存する揮発性メモリーとを備える。
【００４６】
また、ＣＰＵ２０３は、メモリー２０２に保存されている制御プログラムにしたがって携帯型情報処理通信装置２を制御する。
【００４７】
図４は、図１における推薦情報提供装置３の、ハードウェア構成の例を概略的に示す図である。図４に例が示されるように、推薦情報提供装置３は、たとえば、バックライト付の液晶表示パネルからなる表示部３０４と、キーボードまたはマウスなどからなる操作部３０５と、大容量のデータを保存するハードディスク３０６と、通信網６を介して通信を行う通信部３０１と、メモリー３０２と、ＣＰＵ３０３と、推薦情報提供装置３の内部でこれらの構成が相互にデータ通信を行う際に介在するデータバス３０７とを備える。
【００４８】
上記のうち、メモリー３０２は、推薦情報提供装置３の動作を制御する制御プログラムおよび制御データを保存する不揮発性メモリーと、データ処理のため一時的にデータを保存する揮発性メモリーとを備える。
【００４９】
また、ＣＰＵ３０３は、メモリー３０２に保存されている制御プログラムにしたがって推薦情報提供装置３を制御する。
【００５０】
図５は、図１における広告提供装置４の、ハードウェア構成の例を概略的に示す図である。図５に例が示されるように、広告提供装置４は、たとえば、バックライト付の液晶表示パネルからなる表示部４０４と、キーボードまたはマウスなどからなる操作部４０５と、大容量のデータを保存するハードディスク４０６と、通信網６を介して通信を行う通信部４０１と、メモリー４０２と、ＣＰＵ４０３と、広告提供装置４の内部でこれらの構成が相互にデータ通信を行う際に介在するデータバス４０７とを備える。
【００５１】
上記のうち、メモリー４０２は、広告提供装置４の動作を制御する制御プログラムおよび制御データを保存する不揮発性メモリーと、データ処理のため一時的にデータを保存する揮発性メモリーとを備える。
【００５２】
また、ＣＰＵ４０３は、メモリー４０２に保存されている制御プログラムにしたがって広告提供装置４を制御する。
【００５３】
図６は、図１における注文受け付け装置５の、ハードウェア構成の例を概略的に示す図である。図６に例が示されるように、注文受け付け装置５は、たとえば、バックライト付の液晶表示パネルからなる表示部５０４と、キーボードまたはマウスなどからなる操作部５０５と、大容量のデータを保存するハードディスク５０６と、通信網６を介して通信を行う通信部５０１と、メモリー５０２と、ＣＰＵ５０３と、注文受け付け装置５の内部でこれらの構成が相互にデータ通信を行う際に介在するデータバス５０７とを備える。
【００５４】
上記のうち、メモリー５０２は、注文受け付け装置５の動作を制御する制御プログラムおよび制御データを保存する不揮発性メモリーと、データ処理のため一時的にデータを保存する揮発性メモリーとを備える。
【００５５】
また、ＣＰＵ５０３は、メモリー５０２に保存されている制御プログラムにしたがって注文受け付け装置５を制御する。
【００５６】
＜推薦情報提供システムの動作について＞
次に、図７から図１３を参照しつつ、本実施の形態に関する推薦情報提供システムの動作を説明する。
【００５７】
図７および図８は、推薦情報提供システムの動作を説明するための、推薦情報提供システムを構成するそれぞれの装置の動作機能の関係の例を示す図である。また、図９および図１０は、本実施の形態に関する推薦情報提供システムの動作を示すフローチャートである。
【００５８】
それぞれの装置の動作および動作によって実現される機能は、それぞれの装置のメモリーに保存された制御プログラムにしたがって、それぞれの装置のＣＰＵがそれぞれの装置の動作を制御して実現するものである。
【００５９】
図７、図８、図９および図１０に示されるように、映像表示装置１において、ユーザー情報送信部５３は、映像コンテンツを視聴中のユーザーのユーザー情報を推薦情報提供装置３に送信する（図９におけるステップＳＴ０１）。ここで、ユーザー情報とは、映像表示装置１が表示している映像コンテンツを視聴しているユーザーの個人情報と、ユーザーが視聴中の映像コンテンツの情報とを含む情報である。
【００６０】
ユーザーの個人情報には、たとえば、ユーザーの性別、年齢および嗜好に関する情報（嗜好情報）などが含まれる。ユーザーの嗜好情報は、ユーザー個人情報取得部５１で得られたユーザーを特定する情報と、ユーザー嗜好解析部５２で得られたユーザーごとの嗜好情報とが関連づけられてメモリー１０２に蓄積されたものである。
【００６１】
なお、映像表示装置１のユーザーが１人であれば、ユーザーを特定する情報として、映像表示装置１のネットワーク上での固有情報であるＭＡＣアドレスが用いられてもよい。
【００６２】
一方で、映像表示装置１を視聴するユーザーが複数人であれば、あらかじめ映像表示装置１にユーザーの個人情報を登録しておいてもよい。または、映像表示装置１からユーザーが所持している携帯型情報処理通信装置２（たとえば、スマートフォンなどの携帯端末）にアクセスして、携帯型情報処理通信装置２から視聴中のユーザーの個人情報を入手してもよい。
【００６３】
なお、ここでは、ユーザー嗜好解析部５２におけるユーザーの嗜好を解析する方法については詳細な説明を省略するが、たとえば、特開２００８−２５８７９２号公報に開示された操作および視聴履歴に基づく嗜好の解析方法を利用してもよい。
【００６４】
次に、推薦情報提供装置３において、ユーザー情報収集部６１が、映像表示装置１から送信されたユーザー情報を受信する。そして、受信されたユーザー情報は、ユーザー情報記憶部６２によってユーザーごとにハードディスク３０６に保存される（図９におけるステップＳＴ０２）。
【００６５】
ユーザー情報収集部６１は、映像表示装置１から送信されたユーザー情報を受信する受動的な動作だけではなく、規定の時間間隔で映像表示装置１にアクセスすることによって、能動的にユーザー情報を受信してもよい。
【００６６】
次に、推薦情報提供装置３において、広告情報要求部６３が、ハードディスク３０６に保存されたユーザー情報に基づく、視聴中の映像コンテンツに合う情報とユーザーの嗜好に合う情報とを含む広告を示す広告情報を、広告提供装置４に要求する（図９におけるステップＳＴ０３）。
【００６７】
なお、ハードディスク３０６に様々なユーザー情報が蓄積されることによって、ユーザーの嗜好に合う情報を要求することができる精度が高まる。しかしながら、広告情報要求部６３は、ユーザー情報収集部６１が受信したユーザー情報をハードディスク３０６に蓄積せずにそのまま用いて、広告提供装置４に広告情報を要求してもよい。
【００６８】
一方で、広告提供装置４においては、注文受け付け装置５における広告発信部８１から送信された広告を、広告受信部７１が受信する。さらに、広告受信部７１が受信した広告を、広告記憶部７２が、広告提供元ごとにハードディスク４０６に保存する。なお、広告とは、商品に関する広告だけにとどまらず、旅行、映画、演劇およびイベントなどのサービスに関する広告を含んでいてもよい。
【００６９】
また、推薦情報提供元情報記憶部７３は、広告情報を要求する推薦情報提供装置３の推薦情報提供元の識別情報を、あらかじめハードディスク４０６に保存しておく。
【００７０】
次に、広告提供装置４において、推薦情報提供装置３から送信された広告情報の要求に基づいて、広告管理部７４が、ハードディスク４０６に保存されている広告から最適な広告を検索する（図９におけるステップＳＴ０４）。
【００７１】
次に、広告提供装置４において、広告情報送信部７５が、広告管理部７４によって検索された広告に識別情報である推薦情報提供元情報を付加する。そして、広告情報送信部７５は、当該広告を示す広告情報を推薦情報提供装置３に送信する（図９におけるステップＳＴ０５）。
【００７２】
次に、推薦情報提供装置３において、広告情報受信部６４が、広告提供装置４から送信された広告情報を受信する。そして、推薦情報作成部６５が、当該広告情報およびユーザー情報に基づいて推薦情報を作成する（図９におけるステップＳＴ０６）。このとき、推薦情報作成部６５は、作成された推薦情報に対して推薦情報提供元情報を付加する。
【００７３】
ここで、推薦情報とは、たとえば、広告情報に示される広告が、映像コンテンツと連携して表示されるために適した態様に編集された情報である。
【００７４】
次に、推薦情報提供装置３において、推薦情報送信部６６が、推薦情報作成部６５において作成された推薦情報を、ユーザー情報に基づいて映像表示装置１に送信する（図９におけるステップＳＴ０７）。
【００７５】
次に、映像表示装置１において、推薦情報受信および表示部５４が、推薦情報提供装置３から送信された推薦情報を受信する。そして、推薦情報受信および表示部５４は、映像表示パネル１１６に表示中の映像コンテンツとともに、当該推薦情報を表示する（図１０におけるステップＳＴ０８）。
【００７６】
図１１は、本実施の形態に関する、映像表示装置１における推薦情報の表示態様の例を示す図である。図１１に示される推薦情報の表示例では、映像コンテンツ１０００とともにお薦め情報１００１（すなわち、推薦情報）が映像表示パネル１１６（推薦情報受信および表示部５４に対応）に並べて表示されている。
【００７７】
お薦め情報１００１に含まれるお薦め商品Ａ、お薦め商品Ｂ、お薦めの旅行Ｃ、および、お薦めの映画Ｄは、推薦情報提供装置３が放送コンテンツ情報提供装置８（図１を参照）から受信した放送中の放送コンテンツの情報（たとえば、電子番組情報）に連携して、ユーザー情報に基づいて送信された推薦情報である。
【００７８】
さらに、たとえば、お薦め商品Ａにおいては、図１２に例が示されるような、推薦情報提供元の識別情報を含む注文番号も合わせて表示する。なお、図１２は、お薦め情報に関する商品またはサービスの注文番号の例を示す図である。
【００７９】
図１２においては、注文番号として、大分類のカテゴリーコード（たとえば、商品、旅行クーポン、映画チケットまたは演劇チケットなど）と、小分類のカテゴリーコード（たとえば、食品、衣類、アクセサリー、国内旅行、海外旅行、国内映画、海外映画、歌舞伎またはコンサートなど）と、注文ごとに付される注文識別コードと、推薦情報提供元識別コード（たとえば、ＭＸシステム株式会社を示すｍｘ、または、ＷＹ通信株式会社を示すｗｙなど）とを組み合わせたものが示されている。
【００８０】
次に、映像表示装置１において、注文部５５が、ユーザーによって選択または入力された、推薦情報に関連する注文番号を含む注文情報を、注文受け付け装置５に送信する（図１０におけるステップＳＴ０９）。
【００８１】
ここで、注文情報の選択または入力は、映像表示装置１におけるリモートコントローラインターフェイス１０５（図２を参照）を経由してリモートコントローラ（ここでは、図示しない）によって行われる。
【００８２】
しかしながら、映像表示パネル１１６に表示されている推薦情報に関連する注文番号を携帯型情報処理通信装置２を用いて注文受け付け装置５に送信してもよいし、ユーザーが注文受け付け装置５に電話をかけて所望の推薦情報に関連する注文番号を直接伝えてもよい。
【００８３】
次に、注文受け付け装置５において、注文受け付け部８２が、映像表示装置１から送信された注文番号を含む注文情報を受信する。そして、注文管理部８３が、当該注文情報にしたがって注文処理を行う（図１０におけるステップＳＴ１０）。
【００８４】
次に、注文受け付け装置５において、上記の注文情報に関する注文処理が完了した後、注文成果情報送信部８４が、推薦情報に起因する注文が行われたことを示す成果情報を作成し、かつ、当該成果情報を広告提供装置４に送信する（図１０におけるステップＳＴ１１）。ここで、注文成果情報送信部８４は、成果情報に識別情報を付加する。
【００８５】
次に、広告提供装置４において、注文成果情報受信部７６が、上記の成果情報を受信する。そして、アフィリエイト管理部７７が、当該成果情報に基づいてアフィリエイト処理を行う（図１０におけるステップＳＴ１２）。
【００８６】
ここで、アフィリエイト処理とは、たとえば、推薦情報に起因して行われた注文によって生じた利益のうちの一定の割合を、報酬として推薦情報提供元へ与えるための処理である。
【００８７】
次に、広告提供装置４において、報酬送信部７８が、アフィリエイト処理の結果に基づく、推薦情報から注文に至った成果に対する報酬を算出し、かつ、推薦情報提供元情報に基づいて、対応する提供元の推薦情報提供装置３に送信する（図１０におけるステップＳＴ１３）。
【００８８】
次に、対応する提供元の推薦情報提供装置３において、報酬受信部６７が、広告提供装置４から送信された報酬を受け取る（図１０におけるステップＳＴ１４）。
【００８９】
図１３は、推薦情報の提供に起因する成果に対する報酬の一覧表示の例を示す図である。図１３に例が示されるように、当該一覧表示には、推薦情報提供者の情報と、推薦情報提供者コードと、注文が成約した日時の情報と、推薦情報の情報と、成約内容の情報と、注文番号と、成約金額と、報酬レートと、報酬金額と、成約総件数と、成約金額合計と、報酬金額合計と、送金先の情報と、送金日とが示されている。
【００９０】
このように、ユーザーが映像表示装置１で視聴中の映像コンテンツとユーザーの嗜好に合う推薦情報とを併せて推薦情報提供装置３が提供し、さらに、推薦情報に起因する注文が行われたことを示す成果情報を取得することによって、推薦情報に起因する注文が行われたか否かを直接的に確認することができる。
【００９１】
そのため、推薦情報提供装置３が提供した推薦情報がユーザーにとって真に満足することができる情報であるか否かを直接的に確認することができる。
【００９２】
また、推薦情報提供装置３が提供した推薦情報から注文に至った成果に対する報酬を、推薦情報提供元が受け取ることができる。
【００９３】
また、ユーザー情報を蓄積していくことによって、さらに効果的な推薦情報を提供することができるとともに、その成果に対する報酬も増えることを期待することができる。
【００９４】
＜第２の実施の形態＞
本実施の形態に関する推薦情報提供システム、映像表示装置、推薦情報提供装置、および、推薦情報提供方法について説明する。なお、以下の説明においては、以上に記載された実施の形態で説明された構成要素と同様の構成要素については同じ符号を付して図示し、その詳細な説明については適宜省略するものとする。
【００９５】
図１１における推薦情報の表示態様の例では、視聴中の映像コンテンツ１０００に連携してお薦め情報１００１が映像表示パネル１１６に表示されていた。そして、お薦め情報１００１に含まれるお薦め商品Ａ、お薦め商品Ｂ、お薦めの旅行Ｃ、および、お薦めの映画Ｄのそれぞれにおいて、推薦情報提供元の識別情報を含む注文番号も合わせて表示されていた。
【００９６】
しかしながら、これらのお薦め情報１００１は視聴中の映像コンテンツ１０００に連携して変化するため、ユーザーが商品の注文機会を逸してしまう、または、注文番号を間違って入力してしまう場合が考えられる。
【００９７】
そこで、本実施の形態においては、お薦め情報に含まれるお薦め商品のそれぞれにおいて、推薦情報提供元の識別情報を含む注文番号を、マトリックス型２次元コードを用いて表示する。すなわち、推薦情報の一部を、マトリックス型２次元コードを用いて表示する。そして、ユーザーは、携帯型情報処理通信装置２に備えられるカメラなどを用いてマトリックス型２次元コードを撮影し、さらに、注文番号を含む注文情報を注文受け付け装置５に送信する。
【００９８】
図１４は、本実施の形態に関する、映像表示装置１における推薦情報の表示態様の例を示す図である。図１４に示される推薦情報の表示例では、映像コンテンツ１０００とともにお薦め情報１００１Ａ（すなわち、推薦情報）が映像表示パネル１１６（推薦情報受信および表示部５４に対応）に並べて表示されている。
【００９９】
お薦め情報１００１Ａに含まれるお薦め商品Ａ、お薦め商品Ｂ、お薦めの旅行Ｃ、および、お薦めの映画Ｄは、推薦情報提供装置３が放送コンテンツ情報提供装置８（図１を参照）から受信した放送中の放送コンテンツの情報（たとえば、電子番組情報）に連携して、ユーザー情報に基づいて送信された推薦情報である。
【０１００】
ここで、お薦め情報１００１Ａには、お薦め商品Ａ、お薦め商品Ｂ、お薦めの旅行Ｃ、および、お薦めの映画Ｄが、それぞれ注文番号が付されて表示されている。また、図１４においては、これらの注文番号は、マトリックス型２次元コードであるｑｕｉｃｋ  ｒｅｓｐｏｎｓｅコード（すなわち、ＱＲコード（登録商標））を用いてそれぞれ表示されている。
【０１０１】
ユーザーは、携帯型情報処理通信装置２に備えられるカメラなどである撮影部２０７を用いてマトリックス型２次元コードを撮影し、さらに、撮影されたマトリックス型２次元コードの画像を携帯型情報処理通信装置２に備えられるＣＰＵ２０３などを用いて読み込むことによって、注文番号を取得する。そして、注文番号を含む注文情報を注文受け付け装置５に送信する。
【０１０２】
このように、注文番号をマトリックス型２次元コードを用いて表示し、ユーザーが携帯型情報処理通信装置２に備えられるカメラなどを用いてマトリックス型２次元コードを撮影し、さらに、注文番号を含む注文情報を注文受け付け装置５に送信することによって、商品の注文の機会を逸してしまうことが抑制される。また、撮影画像を解析して注文番号を抽出すれば注文番号を誤って入力することが減るため、推薦情報に基づく注文を確実に行うことができる。また、その結果として、成果情報に基づいて、提供された推薦情報に対するユーザーの満足度をより正確に把握することができる。
【０１０３】
また、誤った注文を減らすことができるため、注文の取消処理を減らすことができる。さらに、効果的な推薦情報を提供することができるので、その成果に対する報酬が増えることを期待することができる。
【０１０４】
＜第３の実施の形態＞
本実施の形態に関する推薦情報提供システム、映像表示装置、推薦情報提供装置、および、推薦情報提供方法について説明する。なお、以下の説明においては、以上に記載された実施の形態で説明された構成要素と同様の構成要素については同じ符号を付して図示し、その詳細な説明については適宜省略するものとする。
【０１０５】
図１１における推薦情報の表示態様の例では、視聴中の映像コンテンツ１０００に連携してお薦め情報１００１が映像表示パネル１１６に表示されていた。
【０１０６】
しかしながら、映像コンテンツによっては、これらのお薦め情報が視聴中の映像コンテンツのどの内容に関連しているのかが分かりにくい場合がある。その場合、広告提供の意図とユーザーの認識との間にズレが生じ、推薦情報に起因する注文の機会を逸してしまう場合が考えられる。
【０１０７】
そこで、本実施の形態においては、お薦め情報を視聴中の映像コンテンツに連携させて、表示中の映像コンテンツの該当部分の近傍に対応するお薦め情報を重畳して表示させる。
【０１０８】
図１５は、本実施の形態に関する、映像表示装置１における推薦情報の表示態様の例を示す図である。図１５に示される推薦情報の表示例では、映像表示パネル１１６（推薦情報受信および表示部５４に対応）において、映像コンテンツ１０００にお薦め情報１００１Ｂ（すなわち、推薦情報）が重畳して表示されている。
【０１０９】
お薦め情報１００１Ｂに含まれるお薦め商品Ａ、お薦め商品Ｂ、お薦めの旅行Ｃ、および、お薦めの映画Ｄは、推薦情報提供装置３が放送コンテンツ情報提供装置８（図１を参照）から受信した放送中の放送コンテンツの情報（たとえば、電子番組情報）に連携して、ユーザー情報に基づいて送信された推薦情報である。
【０１１０】
ここで、推薦情報提供装置３における広告情報受信部６４は、放送通信連係サービス（たとえば、ＨＴＭＬ５を用いるハイブリッドキャスト（登録商標））を利用して、放送局７または放送コンテンツ情報提供装置８から放送コンテンツに関連する番組情報および番組との属性情報（たとえば、メタデータなど）を入手する。そして、推薦情報提供装置３は、属性情報を含むこれらの情報に基づいて推薦情報を作成し、さらに、通信網６を経由して映像表示装置１または携帯型情報処理通信装置２に推薦情報を配信する。
【０１１１】
映像表示装置１は、推薦情報提供装置３から配信された推薦情報を受信する。また、映像表示装置１は、放送局７から放送網９を経由して放送コンテンツを受信する。そして、映像表示装置１は、視聴中の映像コンテンツに連携して表示中の映像コンテンツの、属性情報から得られる該当部分の近傍に、対応するお薦め情報を重畳して表示させる。
【０１１２】
映像表示装置１は、注文部５５においてユーザーによって選択された推薦情報に関連する注文番号を含む注文情報を、注文受け付け装置５に送信する。または、携帯型情報処理通信装置２が、ユーザーによって選択された注文情報を、注文受け付け装置５に送信する。
【０１１３】
このように、お薦め情報を視聴中の映像コンテンツに連携させて、表示中の映像コンテンツの該当部分の近傍に対応するお薦め情報を重畳して表示させるため、お薦め情報と視聴中の映像コンテンツとの関連が分かり易くなる。したがって、広告提供の意図とユーザーの認識とが合致しやすくなり、効果的な推薦情報を提供することができる。
【０１１４】
それとともに、お薦め情報に起因する注文の機会を逸してしまうことが少なくなり、推薦情報に起因する注文を確実に行うことができる。また、その結果として、成果情報に基づいて、提供された推薦情報に対するユーザーの満足度をより正確に把握することができる。
【０１１５】
さらに、効果的な推薦情報を提供することができるので、その成果に対する報酬が増えることを期待することができる。
【０１１６】
＜第４の実施の形態＞
本実施の形態に関する推薦情報提供システム、映像表示装置、推薦情報提供装置、および、推薦情報提供方法について説明する。なお、以下の説明においては、以上に記載された実施の形態で説明された構成要素と同様の構成要素については同じ符号を付して図示し、その詳細な説明については適宜省略するものとする。
【０１１７】
図１１における推薦情報の表示態様の例では、視聴中の映像コンテンツ１０００に連携してお薦め情報１００１が映像表示パネル１１６に表示されていた。そして、お薦め情報１００１に含まれるお薦め商品Ａ、お薦め商品Ｂ、お薦めの旅行Ｃ、および、お薦めの映画Ｄのそれぞれにおいて、推薦情報提供元の識別情報を含む注文番号も合わせて表示されていた。
【０１１８】
しかしながら、映像コンテンツによっては映像表示パネル１１６の全面が表示領域として利用されるため、お薦め情報を表示する領域を確保することができない場合がある、または、映像コンテンツに重畳されたお薦め情報が視聴の妨げとなることによってお薦め情報に起因する注文の機会を逸してしまう場合があると考えられる。
【０１１９】
そこで、本実施の形態においては、お薦め情報を、視聴中の映像コンテンツに連携させつつ、ユーザーの携帯型情報処理通信装置２に表示する。
【０１２０】
図１６は、本実施の形態に関する、映像表示装置１と携帯型情報処理通信装置２とにおける推薦情報の表示態様の例を示す図である。図１６に示される推薦情報の表示例では、映像表示装置１の映像表示パネル１１６（推薦情報受信および表示部５４に対応）において映像コンテンツ１０００が表示され、かつ、携帯型情報処理通信装置２の表示部２０５においてお薦め情報１００１Ｃ（すなわち、推薦情報）が表示されている。
【０１２１】
映像表示装置１は、推薦情報受信および表示部５４において推薦情報提供装置３から送信された推薦情報を受信する。そして、映像表示装置１は、視聴中の映像コンテンツに連携させつつ、携帯型情報処理通信装置２に、推薦情報提供装置３から送信された推薦情報を送信する。
【０１２２】
携帯型情報処理通信装置２は、表示部２０５に推薦情報を表示する。そして、携帯型情報処理通信装置２は、ユーザーによって選択された注文情報を注文受け付け装置５に送信する。
【０１２３】
また、第３の実施の形態で説明されたように、推薦情報提供装置３は、放送通信連係サービスを利用して、放送コンテンツに関連する番組情報および番組との連携情報を入手する。そして、推薦情報提供装置３は、これらの情報に基づいて推薦情報を作成し、さらに、通信網６を経由して映像表示装置１および携帯型情報処理通信装置２に推薦情報を配信する。
【０１２４】
携帯型情報処理通信装置２は、映像表示装置１が表示中の映像コンテンツに連携して推薦情報提供装置３から配信された推薦情報を表示し、かつ、ユーザーによって選択された注文情報を、注文受け付け装置５に送信する。
【０１２５】
このように、お薦め情報を、ユーザーが視聴中の映像コンテンツに連携させつつユーザーの携帯型情報処理通信装置２に表示するので、映像コンテンツを映像表示パネル１１６の全面に表示することができる。したがって、推薦情報がユーザーの視聴の妨げがなることがなくなり、映像コンテンツを十分に楽しむことができる。それとともに、ユーザーが、お薦め情報に起因する注文の機会を逸してしまうことが少なくなり、推薦情報に起因する注文を確実に行うことができる。また、その結果として、成果情報に基づいて、提供された推薦情報に対するユーザーの満足度をより正確に把握することができる。
【０１２６】
さらに、効果的な推薦情報を提供することができるので、その成果に対する報酬も増えることが期待することができる。
【０１２７】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【０１２８】
また、当該置き換えは、複数の実施の形態に跨ってなされてもよい。すなわち、異なる実施の形態において例が示されたそれぞれの構成が組み合わされて、同様の効果が生じる場合であってもよい。
【０１２９】
以上に記載された実施の形態によれば、推薦情報提供システムは、広告要求部と、広告提供部と、成果情報作成部とを備える。ここで、広告要求部は、たとえば、広告情報要求部６３に対応するものである。また、広告提供部は、たとえば、広告情報送信部７５に対応するものである。また、成果情報作成部は、たとえば、注文成果情報送信部８４に対応するものである。広告情報要求部６３は、映像コンテンツとユーザーの嗜好情報とに関連する広告を示す広告情報を要求する。広告情報送信部７５は、広告情報に示される広告を提供する。推薦情報作成部６５は、映像コンテンツと連携して表示される推薦情報を、広告に基づいて作成する。注文成果情報送信部８４は、推薦情報と、推薦情報に起因して生じた注文との関連を示す成果情報を作成する。
【０１３０】
また、以上に記載された実施の形態によれば、推薦情報提供システムは、プログラムを実行する処理回路（たとえば、ＣＰＵ３０３）と、実行されるプログラムを記憶する記憶装置（たとえば、メモリー３０２）とを備える。そして、ＣＰＵ３０３がプログラムを実行することによって、以下の動作が実現される。
【０１３１】
すなわち、映像コンテンツとユーザーの嗜好情報とに関連する広告が要求される。そして、広告が提供される。そして、映像コンテンツと連携して表示される推薦情報が、広告に基づいて作成される。そして、推薦情報と、推薦情報に起因して生じた注文との関連を示す成果情報が作成される。
【０１３２】
このような構成によれば、映像コンテンツとユーザーの嗜好に合う推薦情報とを併せて提供し、さらに、推薦情報に起因する注文が行われたことを示す成果情報を取得することによって、推薦情報に起因する注文が行われたか否かを直接的に確認することができる。そのため、提供された推薦情報がユーザーにとって真に満足することができる情報であるか否かを直接的に確認することができる。
【０１３３】
なお、これらの構成以外の本願明細書に例が示される他の構成については適宜省略することができる。すなわち、少なくともこれらの構成を備えていれば、以上に記載された効果を生じさせることができる。
【０１３４】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１３５】
また、以上に記載された実施の形態によれば、推薦情報の一部は、マトリックス型２次元コードを用いて表示される。このような構成によれば、商品の注文の機会を逸してしまうことが抑制される。また、注文番号を誤って入力することが減るため、推薦情報に基づく注文を確実に行うことができる。また、その結果として、成果情報に基づいて、提供された推薦情報に対するユーザーの満足度をより正確に把握することができる。
【０１３６】
また、以上に記載された実施の形態によれば、推薦情報提供システムは、推薦情報におけるマトリックス型２次元コードを撮影する撮影部２０７と、撮影されたマトリックス型２次元コードを読み込む読み込み部とを備える。ここで、読み込み部は、たとえば、ＣＰＵ２０３に対応するものである。そして、注文成果情報送信部８４は、読み込まれたマトリックス型２次元コードに起因して生じた注文との関連を示す成果情報を作成する。このような構成によれば、撮影画像を解析して注文番号を抽出すれば注文番号を誤って入力することが減るため、推薦情報に基づく注文を確実に行うことができる。また、その結果として、成果情報に基づいて、提供された推薦情報に対するユーザーの満足度をより正確に把握することができる。また、誤った注文を減らすことができるため、注文の取消処理を減らすことができる。
【０１３７】
また、以上に記載された実施の形態によれば、推薦情報提供システムは、映像コンテンツを表示する第１の表示部を備える。ここで、第１の表示部は、たとえば、映像表示パネル１１６に対応するものである。推薦情報は、映像表示パネル１１６に映像コンテンツとともに表示される。このような構成によれば、ユーザーが、映像コンテンツに関連する広告を選択し、当該広告に基づく注文を行うことができる。
【０１３８】
また、以上に記載された実施の形態によれば、推薦情報は、映像表示パネル１１６において映像コンテンツに重畳して表示される。このような構成によれば、ユーザーが、映像コンテンツの対応部分に重畳して表示される広告を選択し、当該広告に基づく注文を行うことができる。
【０１３９】
また、以上に記載された実施の形態によれば、推薦情報提供システムは、映像コンテンツに関連する属性情報を取得する属性情報取得部を備える。ここで、属性情報取得部は、たとえば、広告情報受信部６４に対応する。そして、推薦情報は、映像表示パネル１１６において、属性情報に基づいて対応する映像コンテンツの近傍に重畳して表示される。このような構成によれば、映像コンテンツの該当部分の近傍に対応するお薦め情報を重畳して表示させるため、お薦め情報と視聴中の映像コンテンツとの関連が分かり易くなる。したがって、広告提供の意図とユーザーの認識とが合致しやすくなり、効果的な推薦情報を提供することができる。
【０１４０】
また、以上に記載された実施の形態によれば、推薦情報提供システムは、映像表示パネル１１６と、推薦情報を表示する、映像表示パネル１１６とは異なる第２の表示部とを備える。ここで、第２の表示部は、たとえば、表示部２０５に対応する。このような構成によれば、お薦め情報を、映像表示パネル１１６に表示される映像コンテンツに連携させつつ表示部２０５に表示するので、映像コンテンツを映像表示パネル１１６の全面に表示することができる。したがって、推薦情報がユーザーの視聴の妨げがなることがなくなり、映像コンテンツを十分に楽しむことができる。
【０１４１】
また、以上に記載された実施の形態によれば、推薦情報提供システムは、報酬算出部を備える。ここで、報酬算出部は、たとえば、報酬送信部７８に対応するものである。報酬送信部７８は、成果情報に基づいて、推薦情報の提供元に対する報酬を算出する。広告情報送信部７５は、提供する広告に、提供元に関する識別情報を付加する。推薦情報作成部６５は、推薦情報を、識別情報を付加して作成する。注文成果情報送信部８４は、成果情報を、識別情報を付加して作成する。そして、報酬送信部７８において算出される報酬は、成果情報に付加された識別情報に対応する提供元に与えられる。このような構成によれば、推薦情報提供装置３が提供した推薦情報から注文に至った成果に対する報酬を、当該推薦情報の提供元が報酬として受け取ることができる。また、ユーザー情報を蓄積していくことによって、さらに効果的な推薦情報を提供することができるとともに、その成果に対する報酬も増えることを期待することができる。
【０１４２】
また、以上に記載された実施の形態によれば、映像表示装置は、上記の推薦情報提供システムに用いられる映像表示装置であり、映像表示パネル１１６を備える。このような構成によれば、映像コンテンツとユーザーの嗜好に合う推薦情報とを併せて提供することができる。
【０１４３】
また、以上に記載された実施の形態によれば、推薦情報提供装置は、上記の推薦情報提供システムに用いられる推薦情報提供装置であり、広告情報要求部６３および推薦情報作成部６５を備える。このような構成によれば、推薦情報に起因する注文が行われたことを示す成果情報を取得することによって、推薦情報に起因する注文が行われたか否かを直接的に確認することができる。
【０１４４】
以上に記載された実施の形態によれば、推薦情報提供方法において、映像コンテンツとユーザーの嗜好情報とに関連する広告を要求する。そして、広告を提供する。そして、映像コンテンツと連携して表示される推薦情報を、広告に基づいて作成する。そして、推薦情報と、推薦情報に起因して生じた注文との関連を示す成果情報を作成する。
【０１４５】
このような構成によれば、映像コンテンツとユーザーの嗜好に合う推薦情報とを併せて提供し、さらに、推薦情報に起因する注文が行われたことを示す成果情報を取得することによって、推薦情報に起因する注文が行われたか否かを直接的に確認することができる。そのため、提供された推薦情報がユーザーにとって真に満足することができる情報であるか否かを直接的に確認することができる。
【０１４６】
なお、これらの構成以外の本願明細書に例が示される他の構成については適宜省略することができる。すなわち、少なくともこれらの構成を備えていれば、以上に記載された効果を生じさせることができる。
【０１４７】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１４８】
また、特段の制限がない場合には、それぞれの処理が行われる順序は変更することができる。
【０１４９】
＜以上に記載された実施の形態における変形例について＞
以上に記載された実施の形態では、それぞれの構成要素の寸法、形状、相対的配置関係または実施の条件などについても記載する場合があるが、これらはすべての局面においてひとつの例であって、本願明細書に記載されたものに限られることはないものとする。
【０１５０】
したがって、例が示されていない無数の変形例、および、均等物が、本願明細書に開示される技術の範囲内において想定される。たとえば、少なくとも１つの構成要素を変形する場合、追加する場合または省略する場合、さらには、少なくとも１つの実施の形態における少なくとも１つの構成要素を抽出し、他の実施の形態の構成要素と組み合わせる場合が含まれるものとする。
【０１５１】
また、矛盾が生じない限り、以上に記載された実施の形態において「１つ」備えられるものとして記載された構成要素は、「１つ以上」備えられていてもよいものとする。
【０１５２】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【０１５３】
また、以上に記載された実施の形態におけるそれぞれの構成要素には、同一の機能を発揮する限り、他の構造または形状を有する構造物が含まれるものとする。
【０１５４】
また、本願明細書における説明は、本技術に関するすべての目的のために参照され、いずれも、従来技術であると認めるものではない。
【０１５５】
また、以上に記載された実施の形態で記載されたそれぞれの構成要素は、ソフトウェアまたはファームウェアとしても、それと対応するハードウェアとしても想定され、その双方の概念において、それぞれの構成要素は「部」または「処理回路」などと称される。
【符号の説明】
【０１５６】
１  映像表示装置、２  携帯型情報処理通信装置、３  推薦情報提供装置、４  広告提供装置、５  注文受け付け装置、６  通信網、７  放送局、８  放送コンテンツ情報提供装置、９  放送網、５１  ユーザー個人情報取得部、５２  ユーザー嗜好解析部、５３  ユーザー情報送信部、５４  推薦情報受信および表示部、５５  注文部、６１  ユーザー情報収集部、６２  ユーザー情報記憶部、６３  広告情報要求部、６４  広告情報受信部、６５  推薦情報作成部、６６  推薦情報送信部、６７  報酬受信部、７１  広告受信部、７２  広告記憶部、７３  推薦情報提供元情報記憶部、７４  広告管理部、７５  広告情報送信部、７６  注文成果情報受信部、７７  アフィリエイト管理部、７８  報酬送信部、８１  広告発信部、８２  注文受け付け部、８３  注文管理部、８４  注文成果情報送信部、１０１  データ処理部、１０２，２０２，３０２，４０２，５０２  メモリー、１０３，２０３，３０３，４０３，５０３  ＣＰＵ、１０４  操作スイッチ、１０５  リモートコントローラインターフェイス、１０６  通信インターフェイス、１０７，２１０，３０７，４０７，５０７  データバス、１０８  アンテナ、１０９  チューナー、１１０  デコーダー／エンコーダー、１１１  放送番組情報取得回路、１１２，３０６，４０６，５０６  ハードディスク、１１３  映像信号処理回路、１１４  グラフィックス重畳回路、１１５  映像出力回路、１１６  映像表示パネル、１１７  音声信号処理回路、１１８  音声出力回路、１１９  スピーカー、２０１，３０１，４０１，５０１  通信部、２０４  ＧＰＳ、２０５，３０４，４０４，５０４  表示部、２０６，３０５，４０５，５０５  操作部、２０７  撮影部、２０８  音声入力部、２０９  音声出力部、１０００  映像コンテンツ、１００１，１００１Ａ，１００１Ｂ，１００１Ｃ  お薦め情報。
【図１】
2020024493.tif 000003
【図２】
2020024493.tif 000004
【図３】
2020024493.tif 000005
【図４】
2020024493.tif 000006
【図５】
2020024493.tif 000007
【図６】
2020024493.tif 000008
【図７】
2020024493.tif 000009
【図８】
2020024493.tif 000010
【図９】
2020024493.tif 000011
【図１０】
2020024493.tif 000012
【図１１】
2020024493.tif 000013
【図１２】
2020024493.tif 000014
【図１３】
2020024493.tif 000015
【図１４】
2020024493.tif 000016
【図１５】
2020024493.tif 000017
【図１６】
2020024493.tif 000018